(57)【特許請求の範囲】
【請求項１】
複数の成分材料のうち、選択された複数の選択成分材料を所定量で含有する頭髪薬剤用材料を提供する提供装置であって、
前記複数の成分材料をそれぞれ貯留する複数の貯留部と、
前記複数の貯留部にそれぞれ接続され、前記貯留部に貯留された前記成分材料を供給する複数の供給部と、
前記複数の供給部から前記複数の成分材料がそれぞれ供給される複数の供給位置に移動可能に構成され、前記供給部から供給された前記成分材料を計量する計量部と、
前記複数の供給位置のうち、前記複数の選択成分材料が供給される複数の選択供給位置に前記計量部を移動させ、かつ、前記複数の選択供給位置において、前記供給部から所定量の前記選択成分材料を供給して前記計量部で計量するように、前記複数の供給部及び前記計量部を制御する制御部と、を備え、
前記頭髪薬剤用材料は、ヘアカラー剤用材料であり、
前記複数の成分材料は、１又は複数の粉粒体状の成分材料と、前記１又は複数の粉粒体状の成分材料と混合して発色させるための１又は複数の液体状の成分材料と、を含み、
前記１又は複数の粉粒体状の成分材料は粉末状のヘアカラー剤からなり、
前記１又は複数の液体状の成分材料はオキシドールからなり、
前記複数の選択成分材料は、１又は複数の粉粒体状の選択成分材料と、１又は複数の液体状の選択成分材料と、を含み、
前記複数の貯留部は、前記粉粒体状の成分材料を貯留する１又は複数の貯留部と、前記液体状の成分材料を貯留する１又は複数の貯留部と、を含み、
前記複数の供給部は、前記粉粒体状の成分材料を供給する１又は複数の供給部と、前記液体状の成分材料を供給する１又は複数の供給部と、を含む、頭髪薬剤用材料の提供装置。
【請求項２】
前記複数の貯留部、前記複数の供給部及び前記計量部を収容するケース部をさらに備える、請求項１に記載の頭髪薬剤用材料の提供装置。
【請求項３】
発色時の色の種類に対応して設定された複数のヘアカラー剤用材料のうち、選択された発色時の色の種類に対応する、前記複数の選択成分材料を所定量で含有する１つのヘアカラー剤用材料を提供する、請求項１又は２に記載の頭髪薬剤用材料の提供装置。
【発明の詳細な説明】
【技術分野】
【０００１】
本開示は、頭髪薬剤用材料の提供装置及び製造方法に関する。
【背景技術】
【０００２】
従来、美容院等において美容師等がヘアカラーを行う際、例えば、液体状のヘアカラー剤をチューブ容器から押し出して計量器で分量を量ったり、粉末状のヘアカラー剤を容器からスプーン等ですくって計量器で分量を量ったりして使用している。例えば、特許文献１には、チューブ容器内のヘアカラー剤を無駄なく使用するためのカップ容器が開示されている。
【先行技術文献】
【特許文献】
【０００３】
【特許文献１】特開２０１５−１３４１５８号公報
【発明の概要】
【発明が解決しようとする課題】
【０００４】
しかしながら、市販されているヘアカラー剤の色やトーンの種類は多様であり、また複数種のヘアカラー剤を調合すれば数百色のヘアカラー剤を作り出すことができる。そのため、美容師等は、ヘアカラーを行う際に、最終的に作り出すヘアカラー剤の色を数百色の中から選択し、その色に必要なヘアカラー剤を数十種類の中から選択している。ここで、ヘアカラー剤の色とは、ヘアカラー剤に含まれる染料が化学反応によって発色した時の色を示す。以下同様である。【０００５】
よって、美容院等では、ヘアカラーの多種多様なカラーバリエーションに対応するために、ヘアカラー剤の在庫量が多くなり、その分だけ在庫ロスが発生する可能性が高くなる。また、使い切れなかったヘアカラー剤は保存が困難であるため、そのまま捨てることになり、使用時のロスも発生する。また、複数種のヘアカラー剤を調合する場合には、人的な計量ミスにより、所望の色のヘアカラー剤が得られなかったり、ヘアカラー剤の色にばらつきが生じたりするおそれがある。【０００６】
本開示は、簡易な構造であり、多種多様な頭髪薬剤用材料を無駄なく、容易に、かつ精度良く提供することができる頭髪薬剤用材料の提供装置及び製造方法を提供する。
【課題を解決するための手段】
【０００７】
本開示の一の態様である頭髪薬剤用材料の提供装置は、複数の成分材料のうち、選択された１又は複数の選択成分材料を所定量で含有する頭髪薬剤用材料を提供する。頭髪薬剤用材料の提供装置は、複数の成分材料をそれぞれ貯留する複数の貯留部と、複数の貯留部にそれぞれ接続され、貯留部に貯留された成分材料を供給する複数の供給部と、複数の供給部から複数の成分材料がそれぞれ供給される複数の供給位置に移動可能に構成され、供給部から供給された成分材料を計量する計量部と、複数の供給位置のうち、１又は複数の選択成分材料が供給される１又は複数の選択供給位置に計量部を移動させ、かつ、１又は複数の選択供給位置において、供給部から所定量の選択成分材料を供給して計量部で計量するように、複数の供給部及び計量部を制御する制御部と、を備える。【０００８】
上記提供装置によれば、選択された１又は複数の成分材料（選択成分材料）を、自動的に、供給部から所定量だけ精度良く供給し、計量部で精度良く計量することができる。これにより、成分材料の供給及び計量作業が容易となる。また、成分材料の人的な計量ミスを抑制し、頭髪薬剤用材料の品質のばらつきを抑制できる。また、成分材料を必要な量だけ使用するため、成分材料の在庫量を抑制し、在庫ロスを大幅に減らすことができる。さらに、使い切れずにそのまま捨てることを抑制し、使用時のロスも減らすことができる。【０００９】
また、それぞれ異なる機能、特性等を有する複数の成分材料を使用すれば、これらの複数の成分材料から選択したり、組み合わせたり（調合したり）することで、多種多様な機能、特性等を有する頭髪薬剤用材料を提供することができる。例えば、所望の機能、特性を有するシャンプー、リンス、トリートメント、パーマ剤や、多種多様な色のヘアカラー剤等の頭髪薬剤用材料を提供することができる。【００１０】
また、上記提供装置は、簡易な構造でありながら、多種多様な頭髪薬剤用材料を無駄なく、容易に、かつ精度良く提供することができる。そのため、提供装置の小型化、省スペース化を図ることができる。これにより、広い設置スペースが十分に確保できない場所であっても、提供装置の設置が可能となる。【００１１】
上記提供装置において、複数の貯留部、複数の供給部及び計量部を収容するケース部をさらに備えていてもよい。この場合には、複数の貯留部、複数の供給部及び計量部をケース部に収容した提供装置となる。これにより、提供装置の小型化、省スペース化をより一層図ることができる。【００１２】
また、頭髪薬剤用材料は、ヘアカラー剤用材料であってもよい。この場合には、多種多様な色のヘアカラー剤用材料を無駄なく、容易に、かつ精度良く提供することができる。特に、美容院等における美容師等の成分材料の供給及び計量作業が容易となる。また、成分材料の人的な計量ミスを抑制し、ヘアカラー剤用材料の品質のばらつきを抑制できる。また、成分材料を必要な量だけ使用するため、成分材料の在庫量を抑制し、在庫ロスを大幅に減らすことができる。さらに、使い切れずにそのまま捨てることを抑制し、使用時のロスも減らすことができる。また、美容院等のように、広い設置スペースが十分に確保できない場所であっても、提供装置の設置が可能となる。【００１３】
また、上記提供装置は、発色時の色の種類に対応して設定された複数のヘアカラー剤用材料のうち、選択された発色時の色の種類に対応する、１又は複数の選択成分材料を所定量で含有する１つのヘアカラー剤用材料を提供するようにしてもよい。この場合には、発色時の色の種類を選択するだけで、その色の種類に対応したヘアカラー剤用材料を無駄なく、容易に、かつ精度良く提供することができる。【００１４】
本開示の他の態様である頭髪薬剤用材料の製造方法は、複数の成分材料のうち、選択された１又は複数の選択成分材料を所定量で含有する頭髪薬剤用材料を製造する。頭髪薬剤用材料の製造方法は、複数の供給部から複数の成分材料がそれぞれ供給される複数の供給位置のうち、１又は複数の選択成分材料が供給される１又は複数の選択供給位置に計量部を移動させ、かつ、１又は複数の選択供給位置において、供給部から所定量の選択成分材料を供給して計量部で計量する。【００１５】
上記製造方法によれば、選択された１又は複数の成分材料（選択成分材料）を、自動的に、供給部から所定量だけ精度良く供給し、計量部で精度良く計量することができる。これにより、成分材料の供給及び計量作業が容易となる。また、成分材料の人的な計量ミスを抑制し、頭髪薬剤用材料の品質のばらつきを抑制できる。また、成分材料を必要な量だけ使用するため、成分材料の在庫量を抑制し、在庫ロスを大幅に減らすことができる。さらに、使い切れずにそのまま捨てることを抑制し、使用時のロスも減らすことができる。【００１６】
また、それぞれ異なる機能、特性等を有する複数の成分材料を使用すれば、これらの複数の成分材料から選択したり、組み合わせたり（調合したり）することで、多種多様な機能、特性等を有する頭髪薬剤用材料を製造することができる。【００１７】
上記製造方法において、複数の供給部は、複数の成分材料をそれぞれ貯留する複数の貯留部にそれぞれ接続されていてもよい。この場合には、供給部から成分材料（選択成分材料）を円滑に供給して計量部で計量することができる。【００１８】
また、頭髪薬剤用材料は、ヘアカラー剤用材料であってもよい。この場合には、多種多様な色の種類のヘアカラー剤用材料を無駄なく、容易に、かつ精度良く製造することができる。特に、美容院等における美容師等の成分材料の供給及び計量作業が容易となる。また、成分材料の人的な計量ミスを抑制し、ヘアカラー剤用材料の品質のばらつきを抑制できる。また、成分材料を必要な量だけ使用するため、成分材料の在庫量を抑制し、在庫ロスを大幅に減らすことができる。さらに、使い切れずにそのまま捨てることを抑制し、使用時のロスも減らすことができる。【００１９】
また、上記製造方法は、発色時の色の種類に対応して設定された複数のヘアカラー剤用材料のうち、選択された発色時の色の種類に対応する、１又は複数の選択成分材料を所定量で含有する１つのヘアカラー剤用材料を製造するようにしてもよい。この場合には、発色時の色の種類を選択するだけで、その色の種類に対応したヘアカラー剤用材料を無駄なく、容易に、かつ精度良く製造することができる。
【図面の簡単な説明】
【００２０】
【図１】第１実施形態のヘアカラーサーバーを示す斜視図である。
【図２】第１実施形態のヘアカラーサーバー内部を示す斜視図である。
【図３】第１実施形態のヘアカラーサーバー内部を示す正面説明図である。
【図４】第１実施形態のヘアカラーサーバー内部を示す側面説明図である。
【図５】第１実施形態のヘアカラーサーバーであって、図３のＶ−Ｖ線における矢視説明図である。
【図６】第１実施形態のヘアカラーサーバーであって、図３のＶＩ−ＶＩ線における矢視説明図である。
【図７】第２実施形態のヘアカラーサーバー内部を示す斜視図である。
【図８】第２実施形態のヘアカラーサーバーであって、図５と同様の位置における矢視説明図である。
【図９】第２実施形態のヘアカラーサーバーであって、図６と同様の位置における矢視説明図である。
【図１０】第３実施形態のヘアカラーサーバーを示す斜視図である。
【図１１】第３実施形態のヘアカラーサーバーの内部を示す斜視図である。
【図１２】第３実施形態のヘアカラーサーバーの内部を示す正面図である。
【図１３】第３実施形態のヘアカラーサーバーの貯留部及び供給装置を示す斜視図である。
【図１４】第３実施形態のヘアカラーサーバーの貯留部及び供給装置を示す斜視図である。
【図１５】第４実施形態のヘアカラーサーバーの内部を示す斜視図である。
【発明を実施するための形態】
【００２１】
以下、本開示の実施形態を図面と共に説明する。
（第１実施形態）
本実施形態は、本開示の提供装置を、ヘアカラー剤を提供するヘアカラーサーバーとして適用したものである。なお、以下の説明では、前後上下左右等の方向を用いて説明するが、あくまでも説明の便宜上の表現であり、向きや方向は特に限定されるものではない。
【００２２】
図１に示すように、ヘアカラーサーバー１は、基部２と、基部２上に配置されたカバー部３とを備えている。カバー部３は、前面部３１と、後面部３２と、左側面部３３と、右側面部３４と、上面部３５とを有する。前面部３１の左下側には、開口部３１１が形成されている。前面部３１の左端部のやや上側には、液晶タッチパネル３６１を有する操作盤３６が設けられている。上面部３５は、開閉可能に構成されている。
【００２３】
図２〜図４に示すように、ヘアカラーサーバー１は、カバー部３内に１０個の円筒形状の貯留部４を備えている。貯留部４の上面部には、蓋４１が設けられている。貯留部４内には、最終的に提供するヘアカラー剤を構成する成分材料を貯留できる。成分材料は、カバー部３の上面部３５を開け、貯留部４の蓋４１を開けて、貯留部４内に充填できる。
【００２４】
本実施形態では、成分材料として、粉末状のヘアカラー剤を用いる。ヘアカラー剤は、酸化染料、酸化剤等を含有するものであり、所定量の水と混合することにより、化学反応によって酸化染料が発色するタイプのものである。なお、粉末状のヘアカラー剤としては、従来公知の各種粉末状のヘアカラー剤を用いることができる。
【００２５】
ヘアカラーサーバー１は、カバー部３内に１０基の供給装置（供給部）５を備えている。供給装置５は、円筒形状の本体部５１と、本体部５１に対して傾斜して接続する円筒形状の接続部５２とを有する。本体部５１と接続部５２とは内部で連通している。本体部５１は、上下方向に対して（鉛直方向に対して）傾斜して配置されている。接続部５２は、上下方向に沿って（鉛直方向に）配置されている。
【００２６】
接続部５２の上端部は、それぞれ貯留部４の下端部に連結されている。接続部５２と貯留部４とは内部で連通している。接続部５２内にも成分材料を貯留できる。本体部５１の下端部には、図示を省略したが、成分材料を供給する供給口が設けられている。本体部５１内には、図示を省略したが、供給口付近に配置され、成分材料の供給量を調整する供給調整部材やその供給調整部材を作動させるモータ等が配置されている。
【００２７】
供給装置５は、供給調整部材等によって、成分材料を供給口から所定量だけ精度良く外部に供給できるよう構成されている。供給装置５は、成分材料を供給口から下方（直下）に供給できる（図４参照）。なお、供給装置（供給部）５としては、液体状、粉粒体状等の材料を供給できる従来公知の供給装置を用いることができる。
【００２８】
図５に示すように、本実施形態では、１０個の貯留部４（４Ａ〜４Ｊ）に、発色時の色の種類が異なる粉末状のヘアカラー剤である１０種類の成分材料Ａ〜Ｊがそれぞれ貯留されている。また、１０基の供給装置５（５Ａ〜５Ｊ）からは、１０種類の成分材料Ａ〜Ｊをそれぞれ供給できる。
【００２９】
１０個の貯留部４（４Ａ〜４Ｊ）及び１０基の供給装置５（５Ａ〜５Ｊ）は、カバー部３内の上方側に配置されている。５個の貯留部４（４Ａ〜４Ｅ）及び５基の供給装置５（５Ａ〜５Ｅ）は、カバー部３内の前方側において左右方向に並んで配置されている。残りの５個の貯留部４（４Ｆ〜４Ｊ）及び５基の供給装置５（５Ｆ〜５Ｊ）は、カバー部３内の後方側において左右方向に並んで配置されている。すなわち、貯留部４及び供給装置５は、それぞれ前後方向において５個ずつ、２列で配置されている。
【００３０】
図２〜図５に示すように、カバー部３内には、貯留部４及び供給装置５を支持固定する２つの板状の支持固定部３７が配置されている。一方の支持固定部３７は、カバー部３内の前方側において、５個の貯留部４（４Ａ〜４Ｅ）及び５基の供給装置５（５Ａ〜５Ｅ）を支持固定している。もう一方の支持固定部３７は、カバー部３内の後方側において、５個の貯留部４（４Ｆ〜４Ｊ）及び５基の供給装置５（５Ｆ〜５Ｊ）を支持固定している。
【００３１】
支持固定部３７は、水平方向に対して傾斜して配置されている。支持固定部３７の左端部は、カバー部３の左側面部３３に対してネジ等により締結固定されている。支持固定部３７の右端部は、カバー部３の右側面部３４に対してネジ等により締結固定されている。また、支持固定部３７には、供給装置５を固定するための５つの開口固定部３７１が形成されている。供給装置５は、本体部５１を支持固定部３７の開口固定部３７１に挿通した状態で、ネジ等により支持固定部３７に締結固定されている。
【００３２】
図２〜図４、図６に示すように、ヘアカラーサーバー１は、カバー部３内に計量装置（計量部）６を備えている。カバー部３内の下方側には、計量装置６と、計量装置６を水平方向に移動させるためのスライダー機構７とが配置されている。計量装置６は、計量誤差範囲が１ｇ以内の電子天秤である。なお、計量装置（計量部）６としては、従来公知の電子天秤又は台秤等を用いることができる。
【００３３】
スライダー機構７は、２本の棒状の前後レール７１と、各前後レール７１にそれぞれ設けられた２つの前後可動部７２と、２本の棒状の左右レール７３と、２本の左右レール７３に設けられた１つの左右可動部７４と、左右可動部７４に設けられた支持部７５と、を備えている。
【００３４】
前後レール７１は、前後方向に延びるように設けられ、基部２の上面部の左端部及び右端部にそれぞれ配置されている。前後可動部７２は、前後レール７１を内部に挿通させた状態で、前後レール７１に沿って前後方向に移動可能に構成されている。２つの前後可動部７２は、同期して前後方向に移動するよう構成されている。
【００３５】
左右レール７３は、左右方向に延びるように設けられ、前後方向に近接して並んで配置されている。左右レール７３の左端部及び右端部は、２つの前後可動部７２にそれぞれ固定されている。左右可動部７４は、２本の左右レール７３を内部に挿通させた状態で、左右レール７３に沿って左右方向に移動可能に構成されている。
【００３６】
支持部７５は、左右可動部７４に固定され、計量装置６を下側から支持している。計量装置６は、前後可動部７２の前後方向の移動及び左右可動部７４の左右方向の移動により、水平方向において前後左右に移動可能に構成されている。計量装置６が前後左右に移動する水平面上には、供給装置５（５Ａ〜５Ｊ）から成分材料Ａ〜Ｊが供給される１０箇所の供給位置８Ａ〜８Ｊがある。なお、開口部３１１に最も近い供給位置８Ａは、計量装置６の基準位置でもある。
【００３７】
図１〜図４に示すように、基部２内には、制御装置（制御部）２１が収容されている。制御装置２１は、ＣＰＵ等を含むマイコン等を備えている。制御装置２１には、提供するヘアカラー剤のデータ（発色時の色の種類、含有する成分材料の種類、成分材料の分量（混合比率）等）が記憶されている。
【００３８】
制御装置２１は、制御盤３６、供給装置５、計量装置６、スライダー機構７等に電気的に接続されている。制御装置２１は、制御盤３６において液晶タッチパネル３６１での入力に応じて、供給装置５、計量装置６及びスライダー機構７を制御できる。
【００３９】
制御装置２１は、供給装置５からの成分材料の供給を制御できる。制御装置２１は、計量装置６での成分材料の計量値を読み取りながら、供給装置５からの成分材料の供給量を制御できる。制御装置２１は、スライダー機構７における前後可動部７２の前後方向の移動及び左右可動部７４の左右方向の移動を制御することにより、計量装置６の前後左右の移動を制御できる。
【００４０】
次に、ヘアカラーサーバー１によるヘアカラー剤の提供について説明する。
まず、計量カップ１１をヘアカラーサーバー１の開口部３１１から基準位置（供給位置８Ａ）にある計量装置６の上に載せる。そして、所望のヘアカラー剤の発色時の色の種類及び質量を選択する。色の種類及び質量の選択は、制御盤３６の液晶タッチパネル３６１に表示されたメニューを操作して選択する。色の種類は、設定された５００色（色番号００１〜５００）の中から選択する。
【００４１】
発色時の色の種類を選択することにより、その色の種類に対応して設定された５００種類のヘアカラー剤（ヘアカラー剤番号００１〜５００）の中から、提供するヘアカラー剤が選択される。これと共に、１０種類の成分材料Ａ〜Ｊのうち、提供するヘアカラー剤を構成する成分材料（以下、選択成分材料という）が選択される。選択成分材料が複数の場合には、選択した質量に応じて各分量が決定される。
【００４２】
計量装置６は、１０箇所の供給位置８Ａ〜８Ｊのうち、選択成分材料が供給される供給位置（以下、選択供給位置という）に順に移動する。計量装置６の移動順序は、基準位置（供給位置８Ａ）から出発して基準位置（供給位置８Ａ）に戻ってくるまでの移動距離が最短となるようにする。そして、各選択供給位置において、供給装置５から選択成分材料を計量カップ１１に所定量供給して計量する。
【００４３】
計量装置６は、成分材料の供給及び計量が完了した後、基準位置（供給位置８Ａ）に戻る。そして、計量されたヘアカラー剤を収容した計量カップ１１をヘアカラーサーバー１の開口部３１１から取り出す。以上により、所望のヘアカラー剤が提供される。
【００４４】
例えば、所望のヘアカラー剤として色番号２４５、質量１００ｇを選択した場合、色番号に対応するヘアカラー剤番号２４５のヘアカラー剤（成分材料Ｅ：６４質量％、成分材料Ｈ：２８質量％、成分材料Ｂ：８質量％）が選択されると共に、各成分材料の分量（成分材料Ｅ：６４ｇ、成分材料Ｈ：２８ｇ、成分材料Ｂ：８ｇ）が決定される。
【００４５】
計量装置６は、成分材料Ｂ、Ｅ、Ｈが供給される供給位置８Ｂ、８Ｅ、８Ｈに移動する。計量装置６の移動順序は、移動距離が最短となるように、基準位置（供給位置８Ａ）→供給位置８Ｂ→供給位置８Ｈ→供給位置８Ｅ→基準位置（供給位置８Ａ）と移動する。そして、供給位置８Ｂ、８Ｅ、８Ｈにおいて、供給装置５Ｂ、５Ｅ、５Ｈからそれぞれ成分材料Ｂ、Ｅ、Ｈを計量カップ１１に所定量供給して計量する。
【００４６】
計量装置６は、成分材料Ｂ、Ｅ、Ｈの供給及び計量が完了した後、基準位置（供給位置８Ａ）に戻る。そして、計量されたヘアカラー剤を収容した計量カップ１１をヘアカラーサーバー１の開口部３１１から取り出す。以上により、色番号２４５、質量１００ｇのヘアカラー剤が提供される。
【００４７】
次に、本実施形態のヘアカラーサーバーにおける作用効果について説明する。
ヘアカラーサーバー１によれば、制御装置２１によって、複数の供給装置５（５Ａ〜５Ｊ）及び計量装置６を制御する。そして、供給装置５から成分材料Ａ〜Ｊが供給される複数の供給位置８Ａ〜８Ｊのうち、１又は複数の選択成分材料が供給される１又は複数の選択供給位置に計量装置６を移動させ、かつ、１又は複数の選択供給位置において、供給装置５から所定量の選択成分材料を供給して計量装置６で計量する。そのため、選択された１又は複数の成分材料（選択成分材料）を、自動的に、供給装置５から所定量だけ精度良く供給し、計量装置６で精度良く計量することができる。
【００４８】
これにより、例えば美容院等における美容師等の成分材料（ヘアカラー剤）の供給及び計量作業が容易となる。また、成分材料の人的な計量ミスを抑制し、最終的に提供されるヘアカラー剤の品質のばらつきを抑制できる。また、成分材料を必要な量だけ使用するため、成分材料の在庫量を抑制し、在庫ロスを大幅に減らすことができる。さらに、使い切れずにそのまま捨てることを抑制し、使用時のロスも減らすことができる。
【００４９】
また、ヘアカラーサーバー１は、発色時の色の種類に対応して設定された複数のヘアカラーのうち、選択された発色時の色の種類に対応する、１又は複数の選択成分材料を所定量で含有する１つのヘアカラー剤を提供する。そのため、発色時の色の種類を選択するだけで、その色の種類に対応したヘアカラー剤を無駄なく、容易に、かつ精度良く提供することができる。
【００５０】
また、ヘアカラーサーバー１は、複数の貯留部４と、複数の供給装置５と、計量装置６と、制御装置２１とを備えるだけで、すなわち簡易な構造でありながら、多種多様な色のヘアカラー剤を無駄なく、容易に、かつ精度良く提供することができる。そのため、ヘアカラーサーバー１の小型化、省スペース化を図ることができる。これにより、例えば美容院等のように、広い設置スペースが十分に確保できない場所であっても、ヘアカラーサーバー１の設置が可能となる。
【００５１】
また、ヘアカラーサーバー１は、複数の貯留部４、複数の供給装置５及び計量装置６を収容するケース部３をさらに備えている。そのため、複数の貯留部４、複数の供給装置５及び計量装置６をケース部３に収容したヘアカラーサーバー１となる。これにより、ヘアカラーサーバー１の小型化、省スペース化をより一層図ることができる。
【００５２】
このように、本実施形態のヘアカラーサーバー１によれば、複数の成分材料のうち、選択された１又は複数の選択成分材料を所定量で含有する、多種多様な色のヘアカラー剤を無駄なく、容易に、かつ精度良く提供することができる。
【００５３】
（第２実施形態）
本実施形態は、図７〜図９に示すように、ヘアカラーサーバー１における貯留部４及び供給装置５の数や配置を変更した例である。なお、第１実施形態と同様の構成及び作用効果については説明を省略する。
【００５４】
ヘアカラーサーバー１は、カバー部３内に５個の貯留部４（４Ａ〜４Ｅ）及び５基の供給装置５（５Ａ〜５Ｅ）を備えている。５個の貯留部４（４Ａ〜４Ｅ）及び５基の貯留部５（５Ａ〜５Ｅ）は、カバー部３内において左右方向に並んで配置されている。５個の貯留部４（４Ａ〜４Ｅ）に、色の種類が異なる粉末状のヘアカラー剤である５種類の成分材料Ａ〜Ｅがそれぞれ貯留されている。
【００５５】
スライダー機構７は、２本の棒状の左右レール７３と、２本の左右レール７３を固定するレール固定部７６と、２本の左右レール７３に設けられた１つの左右可動部７４と、左右可動部７４に設けられた支持部７５とを備えている。左右レール７３の左端部及び右端部は、２つのレール固定部７６にそれぞれ固定されている。計量装置６は、左右可動部７４の左右方向の移動により、水平方向において左右に移動可能に構成されている。
【００５６】
本実施形態のヘアカラーサーバー１によれば、ヘアカラーサーバー１の小型化、省スペース化をより一層図ることができる。これにより、美容院等のように、広い設置スペースが十分に確保できない場所であっても、ヘアカラーサーバー１の設置がより一層可能となる。
【００５７】
（第３実施形態）
本実施形態は、図１０〜図１４に示すように、ヘアカラーサーバー１における貯留部４及び供給装置５の数、配置、構成等を変更した例である。なお、第１実施形態と同様の構成及び作用効果については説明を省略する。
【００５８】
ヘアカラーサーバー１は、カバー部３を備えている。カバー部３は、前面部３１と、後面部３２と、左側面部３３と、右側面部３４と、上面部３５と、さらに下面部３８とを有する。
【００５９】
前面部３１の開口部３１１には、開閉可能に構成された開閉ドア３１２が形成されている。前面部３１の中央上部には、液晶タッチパネル３６１を有する操作盤３６が設けられている。左側面部３３及び右側面部３４の下部には、それぞれ持手部３３１、３４１が設けられている。下面部３８には、計量装置６から計量カップ１１が落下するのを防止するための落下防止部３８１が設けられている。
【００６０】
ヘアカラーサーバー１は、カバー部３内に、７個の円筒形状の貯留部４を備えている。貯留部４内には、最終的に提供するヘアカラー剤を構成する成分材料（粉末状のヘアカラー剤）を貯留できる。成分材料は、カバー部３の上面部３５を開けずに、そのまま貯留部４の蓋４１を開けて、貯留部４内に充填できる。
【００６１】
ヘアカラーサーバー１は、カバー部３内に、さらに１個の直方体形状の貯留部４（４Ｌ）を備えている。貯留部４（４Ｌ）の上面部には、蓋４１が設けられている。貯留部４（４Ｌ）内には、最終的に提供するヘアカラー剤を構成する成分材料（液体状のオキシドール）を貯留できる。成分材料は、カバー部３の上面部３５を開けずに、そのまま貯留部４（４Ｌ）の蓋４１を開けて、貯留部４内に充填できる。
【００６２】
本実施形態では、成分材料として、粉末状のヘアカラー剤と液体状のオキシドールとを用いる。ヘアカラー剤は、酸化染料、酸化剤等を含有するものであり、所定量のオキシドールと混合することにより、化学反応によって酸化染料が発色するタイプのものである。
【００６３】
ヘアカラーサーバー１は、カバー部３内に、７基の供給装置５を備えている。供給装置５は、本体部５１と、本体部５１に対して直交して接続する接続部５２とを有する。本体部５１と接続部５２とは内部で連通している。本体部５１は、上下方向に対して（鉛直方向に対して）直交する方向に配置されている。接続部５２は、上下方向に沿って（鉛直方向に）配置されている。
【００６４】
接続部５２の上端部は、それぞれ貯留部４の下端部に連結されている。接続部５２と貯留部４とは内部で連通している。本体部５１の下面には、図示を省略したが、成分材料を供給する供給口と供給口を開閉する供給口蓋が設けられている。本体部５１には、成分材料の供給量を調整する供給調整部材やその供給調整部材及び供給口蓋を作動させるモータ等が配置されている。
【００６５】
ヘアカラーサーバー１は、カバー部３内に、貯留部４（４Ｌ）に接続される１基の供給装置５（５Ｌ）を備えている。供給装置５（５Ｌ）の上端部は、貯留部４（４Ｌ）の下端部に連結されている。供給装置５（５Ｌ）と貯留部４（４Ｌ）とは内部で連通している。供給装置５（５Ｌ）の下端部には、成分材料を供給する供給口５３が設けられている。供給装置５（５Ｌ）には、成分材料の供給量を調整する供給調整部材やその供給調整部材を作動させるモータ等が配置されている。
【００６６】
本実施形態には、７個の貯留部４に、７種類の粉末状のヘアカラー剤（黒色、赤色、青色、黄色、クリア剤、ブリーチ剤等）がそれぞれ貯留されている。７基の供給装置５からは、７種類の粉末状のヘアカラー剤をそれぞれ供給できる。また、１個の貯留部４（４Ｌ）に、液体状のオキシドールが貯留されている。１基の供給装置５（５Ｌ）からは、液体状のオキシドールを供給できる。
【００６７】
貯留部４及び供給装置５は、カバー部３内の上方側に配置されている。４個の貯留部４及び４基の供給装置５は、カバー部３内の前方側において左右方向に並んで配置されている。残りの４個の貯留部４及び４基の供給装置５は、カバー部３内の後方側において左右方向に並んで配置されている。
【００６８】
カバー部３内には、貯留部４及び供給装置５を支持固定する１つの板状の支持固定部３７が配置されている。支持固定部３７は、水平方向に配置されている。支持固定部３７は、８個の貯留部４及び８基の供給装置５を支持固定している。１個の貯留部４（４Ｌ）は、ネジ等により支持固定部３７に締結固定されている。１基の供給装置５（５Ｌ）を除く７基の供給装置５は、ネジ等により支持固定部３７に締結固定されている。
【００６９】
ヘアカラーサーバー１は、カバー部３内に、計量装置６及びスライダー機構７を備えている。計量装置６には、ロードセル６１が設けられている。スライダー機構７は、２本の棒状の前後レール（図示略）と、各前後レールにそれぞれ設けられた２つの前後可動部（図示略）と、２本の棒状の左右レール７３とを備えている。計量装置６は、２本の左右レール７３を内部に挿通させた状態で、左右レール７３に沿って左右方向に移動可能に構成されている。計量装置６は、前後可動部の前後方向の移動及び計量装置６自身の左右方向の移動により、水平方向において前後左右に移動可能に構成されている。
【００７０】
ヘアカラーサーバー１は、カバー部３内の後方側に、基部２を備えている。基部２内には、制御装置２１が収容されている。制御装置２１は、制御盤３６、供給装置５、計量装置６、スライダー機構７等に電気的に接続されている。制御装置２１は、制御盤３６において液晶タッチパネル３６１での入力に応じて、供給装置５、計量装置６及びスライダー機構７を制御できる。
【００７１】
制御装置２１は、供給装置５からの成分材料（粉末状のヘアカラー剤、液体状のオキシドール）の供給を制御できる。制御装置２１は、計量装置６での成分材料の計量値を読み取りながら、供給装置５からの成分材料の供給量を制御できる。
【００７２】
本実施形態のヘアカラーサーバー１によれば、粉末状のヘアカラー剤だけではなく、その粉末状のヘアカラー剤と混合する液体（オキシドール）についても供給及び計量する。そのため、計量した複数の成分材料を混合するだけで、ヘアカラー剤を使用することができる。これにより、ヘアカラー剤の迅速な提供を実現できる。
【００７３】
（第４実施形態）
本実施形態は、図１５に示すように、ヘアカラーサーバー１における貯留部４及び供給装置５の数、配置、構成等を変更した例である。なお、第３実施形態と同様の構成及び作用効果については説明を省略する。
【００７４】
ヘアカラーサーバー１は、カバー部３内に、２個の直方体形状の貯留部４（４Ｌ）と２個の貯留部４（４Ｌ）に接続される２基の供給装置５（５Ｌ）とを備えている。貯留部４（４Ｌ）内には、最終的に提供するヘアカラー剤を構成する成分材料（液体状のオキシドール）を貯留できる。本実施形態では、２個の貯留部４（４Ｌ）に、濃度の異なる液体状のオキシドールが貯留されており、２基の供給装置５（５Ｌ）からは、濃度の異なる液体状のオキシドールを供給できる。
【００７５】
カバー部３内において、４個の貯留部４及び４基の供給装置５は、カバー部３内の前方側において左右方向に並んで配置されている。残りの５個の貯留部４及び５基の供給装置５は、カバー部３内の後方側において左右方向に並んで配置されている。
【００７６】
（その他の実施形態）
本開示は、上記実施形態に何ら限定されるものではなく、本開示を逸脱しない範囲において種々の態様で実施しうることはいうまでもない。
【００７７】
（１）頭髪薬剤用材料としては、頭髪薬剤に用いられる各種材料が含まれる。頭髪薬剤としては、例えば、ヘアカラー剤、シャンプー、リンス、トリートメント、パーマ剤等が含まれる。ヘアカラー剤としては、例えば、医薬部外品であるヘアカラー等の永久染毛剤、ブリーチ等の脱色剤や、化粧品であるヘアマニキュア、カラーリンス、カラートリートメント等の半永久染毛料、ヘアマスカラ、ヘアカラースプレー等の一時染毛料（毛髪着色料）等が含まれる。
【００７８】
（２）頭髪薬剤用材料としては、頭髪薬剤自体、頭髪薬剤に用いられる中間材料等が含まれる。頭髪薬剤用材料（中間材料）に他の材料を加えて頭髪薬剤としてもよい。また、ヘアカラー剤用材料としては、ヘアカラー剤自体、ヘアカラー剤に用いられる中間材料等が含まれる。ヘアカラー剤用材料（中間材料）に他の材料を加えてヘアカラー剤としてもよい。
【００７９】
（３）ヘアカラー剤の発色時の色の種類とは、上述したように、ヘアカラー剤に含まれる酸化染料等の染料が化学反応によって発色した時の色の種類のことである。色の種類は、例えば、色味（ブラウン系、ベージュ系、マット系、アッシュ系、レッド系、ピンク系等）と明るさ（明暗のレベル数）で表される。
【００８０】
（４）頭髪薬剤用材料を構成する複数の成分材料としては、液体状の成分材料、粉粒体状の成分材料等を用いることができる。例えば、成分材料のすべてが液体状であってもよいし、成分材料のすべてが粉粒体状であってもよいし、液体状の成分材料と粉粒体状の成分材料とが混在していてもよい。
【００８１】
（５）頭髪薬剤用材料を構成する成分材料の数は、複数であればよく、その数は限定されるものではない。また、選択成分材料の数は、１つであってもよいし、複数であってもよい。また、貯留部及び供給部の数は、成分材料と同様に複数であればよく、その数は限定されるものではない。
【００８２】
（６）頭髪薬剤用材料を構成する成分材料が粉粒体状である場合、湿気対策として提供装置内の湿度を適切に保つために提供装置内にファン等を設ける構成としてもよい。成分材料が液体状である場合、空気との接触を抑制するために貯留部及び供給部を密閉性の高い構造としてもよい。頭髪薬剤用材料の使用時に化学反応等を伴う場合には、粉粒体状の成分材料を用いることが好ましい。また、貯留部内への成分材料の充填を容易とするために、成分材料を充填したカートリッジを貯留部にセットするような構成としてもよい。
【００８３】
（７）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００８４】
１…ヘアカラーサーバー（頭髪薬剤用材料の提供装置）、３…カバー部、４（４Ａ〜４Ｊ）…貯留部、５（５Ａ〜５Ｊ）…供給装置（供給部）、６…計量装置（計量部）、８Ａ〜８Ｊ…供給位置、２１…制御装置（制御部）
【図１】
0006716083.tif 000002
【図２】
0006716083.tif 000003
【図３】
0006716083.tif 000004
【図４】
0006716083.tif 000005
【図５】
0006716083.tif 000006
【図６】
0006716083.tif 000007
【図７】
0006716083.tif 000008
【図８】
0006716083.tif 000009
【図９】
0006716083.tif 000010
【図１０】
0006716083.tif 000011
【図１１】
0006716083.tif 000012
【図１２】
0006716083.tif 000013
【図１３】
0006716083.tif 000014
【図１４】
0006716083.tif 000015
【図１５】
0006716083.tif 000016